(57)【要約】【課題】  空気調和機本体の風向制御装置部品に金属感ある外観を持ち、高級感及び清潔感がある意匠効果を持たせ、しかも結露が生じないようにした空気調和機を得ることを目的とする。【解決手段】  空気調和機本体１の空気調和された空気が吐出される吐出口２に設けられたプラスチック製の風向制御装置部品３の外装表面に透過性を有する金属蒸着箔を加飾したことを特徴とする空気調和機。【選択図】        図１
2006078085.tif 000002
【特許請求の範囲】
【請求項１】
空気調和機本体の空気調和された空気が吐出される吐出口に設けられたプラスチック製の風向制御装置部品の外装表面に透過性を有する金属蒸着箔を加飾したことを特徴とする空気調和機。
【請求項２】
前記風向制御装置部品が回動支持されていることを特徴とする請求項１記載の空気調和機。
【請求項３】
前記風向制御装置部品が透明であることを特徴とする請求項１又は２に記載の空気調和機。
【請求項４】
前記金属蒸着箔の成分がアルミであることを特徴とする請求項１〜３のいずれかに記載の空気調和機。
【請求項５】
前記金属蒸着箔の成分がクロムであることを特徴とする請求項１〜３のいずれかに記載の空気調和機。
【請求項６】
前記金属蒸着箔の加飾方式が熱転写であることを特徴とする請求項１〜５のいずれかに記載の空気調和機。
【請求項７】
前記金属蒸着箔の加飾方式が塗装であることを特徴とする請求項１〜５のいずれかに記載の空気調和機。
【請求項８】
前記金属蒸着箔の光の透過率が１０〜５０％であることを特徴とする請求項１〜７のいずれかに記載の空気調和機。
【請求項９】
前記金属蒸着箔の光の透過率を該金属蒸着箔の厚みを変えて調整することを特徴とする請求項８に記載の空気調和機。
【請求項１０】
前記金属蒸着箔の表面にヘアライン処理を施したことを特徴とする請求項１〜９のいずれかに記載の空気調和機。
【発明の詳細な説明】
【技術分野】
【０００１】
この発明は、空気調和機の風向制御装置部品に関するものである。
【背景技術】
【０００２】
従来の空気調和機は、空気調和された空気が吐出される吐出口に、クロスフローファン等を駆動制御する制御部を抱え込むように横広がりに形成されたオーバーハング部を設け、このオーバーハング部の制御部側の側面に、制御部の熱をオーバーハング部全体に導くアルミニウムテープ等の熱導部材を貼り付けることにより、制御部の熱で熱導部材がオーバーハング部を暖めるため、冷房運転時に冷気がオーバーハング部に回り込んで当該オーバーハング部を冷却することにより生じる結露を防止している（特許文献１参照。）。
また、従来周知の空気調和機は、空気調和された空気が吐出される吐出口に、空気の吐出方向を設定する風向制御装置部品が設けられており、その風向制御装置部品は結露が生じないようにプラスチックで形成されている。
【０００３】
【特許文献１】特開２０００−１７９８８５号公報（第１頁、第４図）
【発明の開示】
【発明が解決しようとする課題】
【０００４】
しかしながら、従来周知の空気調和機のプラスチックで形成された風向制御装置部品の表面に、金属感ある外観を持つようある意匠効果を持たせるために、光の透過率０％の金属調加飾を行うと、金属調調加飾は熱伝導が良いために結露が生じるという問題点があった。
【０００５】
この発明は、上記のよう問題を解決するためになされたもので、空気調和機本体の風向制御装置部品に金属感ある外観を持ち、高級感及び清潔感がある意匠効果を持たせ、しかも結露が生じないようにした空気調和機を得ることを目的とする。
【課題を解決するための手段】
【０００６】
この発明に係る空気調和機は、空気調和機本体の空気調和された空気が吐出される吐出口に設けられたプラスチック製の風向制御装置部品の表面に透過性を有する金属蒸着箔を加飾したものである。
【発明の効果】
【０００７】
この発明の空気調和機は、空気調和機本体の空気調和された空気が吐出される吐出口に設けられたプラスチック製の風向制御装置部品の表面に透過性を有する金属蒸着箔を加飾したので、金属感ある外観を持ち高級感及び清潔感がある意匠効果を有し、かつ、冷房時の結露を防止することができるという効果を有する。
【発明を実施するための最良の形態】
【０００８】
実施の形態１．
図１はこの発明に係る実施の形態１の空気調和機の運転停止時の状態を示す斜視図、図２は同空気調和機の運転状態を示す斜視図である。
図において、空気調和機本体１の空気調和された空気が吐出される吐出口２に不透明なプラスチック製でフラップ状の風向制御装置部品３が回動自在に設けられている。
そして、この風向制御装置部品３はモータ（図示省略）より回動させられ、空気の吐出方向即ち風向きが可変させられたり、所定の回動位置に設定されるよう構成されている。
【０００９】
この風向制御装置部品３の外装表面には光の透過率が１０〜５０％の透過性を有するアルミの金属蒸着箔が加飾されている。
風向制御装置部品３の外装表面へのアルミの金属蒸着箔の加飾方法は、高温に加熱されたゴム製冶具によりローラーまたはプレスにて熱転写する熱転写方式にて行われる。
ここで光の透過率とは不透過を０％、全透過を１００％とする。この光の透過率の設定は、加飾されるアルミの金属蒸着箔の厚みを調整することによって行われ、金属蒸着箔の厚みが大きい程透過率が低くなる。
【００１０】
次に、この発明に係る実施の形態１における空気調和機の動作について説明する。
空気調和機本体１の風向制御装置部品３は空気調和機が運転を始めた場合に、モータ（図示省略）の駆動により回動されることにより、吐出口２から吹き出す冷暖風の風向が制御される。
【００１１】
そして、空気調和機が冷房運転の場合、空気調和機本体１の吐出口２から冷風が吹き出され、その冷風が風向制御装置部品３の外装表面に当たるが、風向制御装置部品１の外装表面に加飾されたアルミの金属蒸着箔は透過性を持たせるよう厚みが薄いため、熱伝導も少なく着露レベルに達せず結露が防止される。
【００１２】
また、風向制御装置部品３の外装表面に透過性を有するアルミの金属蒸着を加飾したため、金属感ある外観を持ち高級感及び清潔感がある意匠効果を発揮することとなった。
【００１３】
上記の実施の形態１では、風向制御装置部品３の外装表面に加飾される金属蒸着箔をアルミとしたが、クロムの金属蒸着箔であってもよい。
風向制御装置部品１の外装表面にクロムの金属蒸着箔が加飾された場合には、耐食性もアップしより品質の良いものが得られる。
【００１４】
また、上記の実施の形態１では、風向制御装置部品３の外装表面への金属蒸着箔の加飾方法を熱転写方式としたが、吹き付けの塗装又は金型内にてフィルム箔を転写するインモールド成形の方式でも、熱転写方式と同様の効果が得られる。
【００１５】
さらに、上記の実施の形態１では、風向制御装置部品３は不透明なプラスチック製としたが、金属蒸着箔が透過性を有しているため、透明なプラスチック製としてもよい。
風向制御装置部品３を透明なプラスチック製とした場合には、金属蒸着箔の金属感がより発揮され、意匠性のアップが図れることとなる。
【００１６】
また、上記の実施の形態１では、アルミの金属蒸着箔をプラスチック製の風向制御装置部品３の外装表面に加飾したが、その金属蒸着箔の表面にヘアライン加工を施しておくことにより、成型品である風向制御装置部品３のヒケ・ウエルドなどが目立ちにくくなりより品質の安定したものが得られる。
【図面の簡単な説明】
【００１７】
【図１】この発明に係る実施の形態１の空気調和機の運転停止時の状態を示す斜視図である。
【図２】同空気調和機の運転状態を示す斜視図である。
【符号の説明】
【００１８】
１  空気調和機本体、２  吐出口、３  風向制御装置部品。
【図１】
2006078085.tif 000003
【図２】
2006078085.tif 000004